(57)【要約】【課題】有望なアイデアを容易に集めたり、集めた多数のアイデアの中から有望なアイデアを容易に見つけ出したりすることを可能にする情報処理装置および情報処理プログラムを提供する。【解決手段】本発明の一実施形態に係る情報処理装置は、アイデアの投稿を受け付けるとともに、固定の金額データもしくはそれに対応する指標データを、アイデアの投稿料として受け付ける受付部と、受付部で受け付けたアイデアを記憶部に格納する処理部とを備えている。【選択図】図１
2018026163.tif 000002
【特許請求の範囲】
【請求項１】
アイデアの投稿を受け付けるとともに、固定の金額データもしくはそれに対応する指標データを、前記アイデアの投稿料として受け付ける受付ステップと、
前記第１受付ステップで受け付けた前記アイデアを出力する出力ステップと
をコンピュータに実行させる
情報処理プログラム。
【請求項２】
前記金額データは、５００円、５ドルもしくは５ユーロ以上の固定の金額データである  請求項１に記載の情報処理プログラム。
【請求項３】
アイデアの投稿を受け付けるとともに、固定の金額データもしくはそれに対応する指標データを、前記アイデアの投稿料として受け付ける受付部と、
前記受付部で受け付けた前記アイデアを記憶部に格納する処理部と
を備えた
情報処理装置。
【請求項４】
前記金額データは、５００円、５ドルもしくは５ユーロ以上の固定の金額データである  請求項３に記載の情報処理装置。
【請求項５】
各前記アイデアは、文字数の相対的に少ない概要文字データと、文字数の相対的に多い詳細文字データとを含み、
前記処理部は、前記記憶部から読み出した複数の前記概要文字データをリストとして出力する
請求項３または請求項４に記載の情報処理装置。
【請求項６】
前記受付部は、前記リスト内の前記概要文字データの選択を受け付け、
前記処理部は、前記受付部で受け付けた選択の対象である前記概要文字データに対応する前記詳細文字データを前記記憶部から読み出し、出力する
請求項５に記載の情報処理装置。
【請求項７】
前記処理部は、前記概要文字データの選択後には、前記リストとして、前記受付部で受け付けた選択の対象である前記概要文字データの少なくとも一部を含まないもの、もしくは前記受付部で受け付けた選択の対象である前記概要文字データの少なくとも一部に対して文字を判読し難くする処理が行われたものを出力する
請求項６に記載の情報処理装置。
【請求項８】
前記処理部は、前記リストとして、前記受付部で受け付けた選択の対象である前記概要文字データの少なくとも一部を含まないもの、もしくは前記受付部で受け付けた選択の対象である前記概要文字データの少なくとも一部に対して文字を判読し難くする処理が行われたものを出力した後、所定の条件が満たされたときには、前記リストとして、前記受付部で受け付けた選択の対象である前記概要文字データを含むものを出力する
請求項７に記載の情報処理装置。
【発明の詳細な説明】
【技術分野】
【０００１】  本発明は、有望なアイデアを容易に集めたり、集めた多数のアイデアの中から有望なアイデアを容易に見つけ出したりすることを可能にする情報処理装置および情報処理プログラムに関する。
【背景技術】
【０００２】  近年、社外のアイデアや発明を積極的に取り入れて、新しい商品やサービスの開発を行うオープンイノベーションという開発手法が注目されている。このオープンイノベーションを実現するためには、自らが、必要とする社外のアイデアを探すことが必要となる。しかし、社外のアイデアを探すことは、容易ではない。そこで、従来から、必要とする社外のアイデアを取得するためのシステムが提案されている（例えば、特許文献１参照）。
【先行技術文献】
【特許文献】
【０００３】
【特許文献１】特開２０１１−１９８１８６号公報
【発明の概要】
【発明が解決しようとする課題】
【０００４】  しかし、玉石混合の多数のアイデアの中から、有望なものを見つけ出すことは容易ではない。集めたアイデアを、多数の評価者による投票数に応じてランキングするなどの手法が考えられる。しかし、そのような手法を用いた場合には、評価者の目利き力がランキングに反映されてしまい、ダイヤの原石のようなアイデアが正当に評価されずに埋もれてしまうおそれがある。また、多数のアイデアを評価するためには、非常に多くの手間と時間を要するので、このシステムを運用するための人手やコストを負担し続けることは、  非常に困難である。従って、有望なアイデアを容易に集めたり、集めた多数のアイデアの中から有望なアイデアを容易に見つけ出したりすることを可能にする情報処理装置および情報処理プログラムを提供することが望ましい。
【課題を解決するための手段】
【０００５】  本発明の一実施形態に係る情報処理プログラムは、以下の２つのステップをコンピュータに実行させる。
（Ａ１）アイデアの投稿を受け付けるとともに、固定の金額データもしくはそれに対応する指標データを、アイデアの投稿料として受け付ける受付ステップ
（Ａ２）第１受付ステップで受け付けたアイデアを出力する出力ステップ【０００６】  本発明の一実施形態に係る情報処理装置は、アイデアの投稿を受け付けるとともに、固定の金額データもしくはそれに対応する指標データを、アイデアの投稿料として受け付ける受付部と、受付部で受け付けたアイデアを記憶部に格納する処理部とを備えている。
【発明の効果】
【０００７】  本発明の一実施形態に係る情報処理装置および情報処理プログラムによれば、有望なアイデアを容易に集めたり、集めた多数のアイデアの中から有望なアイデアを容易に見つけ出したりすることができる。
【図面の簡単な説明】
【０００８】
【図１】本発明の第１の実施の形態に係る情報処理システムの概略構成の一例を表す図である。
【図２】端末装置の概略構成の一例を表す図である。
【図３】端末装置の概略構成の一例を表す図である。
【図４】端末装置の概略構成の一例を表す図である。
【図５】サーバ装置の概略構成の一例を表す図である。
【図６】図４，図５の記憶部内のデータベースの一例を表す図である。
【図７】端末装置の概略構成の一例を表す図である。
【図８】端末装置の概略構成の一例を表す図である。
【図９】端末装置の入力インターフェースの一例を表す図である。
【図１０】端末装置の入力インターフェースの一例を表す図である。
【図１１】端末装置の入力インターフェースの一例を表す図である。
【図１２】端末装置の入力インターフェースの一例を表す図である。
【図１３】端末装置の入力インターフェースの一例を表す図である。
【図１４】サーバ装置の概略構成の一変形例を表す図である。
【図１５】図４，図５の記憶部内のデータベースの一変形例を表す図である。
【図１６】図４，図５の記憶部内のデータベースの一変形例を表す図である。
【図１７】本発明の第２の実施の形態に係る情報処理システムの概略構成の一例を表す図である。
【発明を実施するための形態】
【０００９】  以下、本発明を実施するための形態について、図面を参照して詳細に説明する。
【００１０】＜１．第１の実施の形態＞
［構成］
図１は、本発明の一実施の形態に係る情報処理システム１の概略構成の一例を表したものである。情報処理システム１は、不特定多数の個人や団体、大学若しくは企業などから募った多数のアイデアの中から有望なアイデアを容易に見つけ出すことを可能にするものであり、それにより、ヒット商品の創出を支援することを目的とするものである。
【００１１】  情報処理システム１は、ネットワーク１００に接続された端末装置２００、サーバ装置３００および端末装置４００を備えている。
【００１２】（ネットワーク１００）
ネットワーク１００は、例えば、インターネットで標準的に利用されている通信プロトコル（ＴＣＰ／ＩＰ）を用いて通信を行うネットワークである。ネットワーク１００は、例えば、そのネットワーク独自の通信プロトコルを用いて通信を行うセキュアなネットワークであってもよい。ネットワーク１００は、例えば、インターネット、イントラネット、または、ローカルエリアネットワークである。ネットワーク１００と、端末装置２００、サーバ装置３００または端末装置４００との接続は、例えば、イーサネット等の有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００１３】（端末装置２００）
図２、図３は、端末装置２００の概略構成の一例を表したものである。端末装置２００は、投稿者２がアイデア３の投稿に使用する端末装置であり、例えば、受付部２１０および出力部２２０を有している。受付部２１０および出力部２２０は、例えば、入力装置２０１と、プロセッサ２０２と、ネットワークインターフェース２０３と、メモリ２０４とを含んで構成されている。入力装置２０１は、キーボードやタッチパネルなどで構成されている。プロセッサ２０２は、メモリ２０４に記憶されたウェブブラウザプログラム２０４Ａや、オペレーティングシステムなどを実行する。ネットワークインターフェース２０３は、ネットワーク１００を介してサーバ装置３００と通信するための通信インターフェースである。メモリ２０４は、プロセッサ２０２によって実行されるプログラム（例えば、ウェブブラウザプログラム２０４Ａや、オペレーティングシステム）などを格納する。受付部２１０および出力部２２０の機能は、例えば、サーバ装置３００から取得したアプリケーション（例えばｈｔｍｌデータ）をウェブブラウザプログラム２０４Ａで処理することにより実現される。受付部２１０の入力インターフェース（つまり、入力装置２０１の入力インターフェース）は、例えば、サーバ装置３００から取得したアプリケーション（例えばｈｔｍｌデータ）をウェブブラウザプログラム２０４Ａで処理することにより実現される。
【００１４】  アイデア３は、文字数の相対的に少ない概要文字データ３Ａと、文字数の相対的に多い詳細文字データ３Ｂとを含んでいる。概要文字データ３Ａは、例えば、  アイデア３のタイトル、または、アイデア３の概要を説明する文章である。詳細文字データ３Ｂは、概要文字データ３Ａと比べてより詳細にアイデア３の内容について説明する文章である。  アイデア３は、さらに、アイデア３に関するイラストや写真、設計図面などを含んでいてもよい。
【００１５】  受付部２１０は、アイデア３の投稿を受け付けるとともに、投稿者２によって複数の選択肢の中から選択された金額データもしくはそれに対応する指標データをアイデア３に対する投稿料４として受け付ける。受付部２１０は、例えば、  アイデア３の投稿を受け付ける際に、アイデア３に対する投稿料４の提示（入力）を要求し、提示（入力）された金額データもしくはそれに対応する指標データをアイデア３に対する投稿料４として受け付ける。受付部２１０は、アイデア３に対する投稿料４の決定権を投稿者２に与え、投稿者２によって提示（入力）された任意の投稿料４を受け付ける。投稿料４は、投稿者２が情報処理システム１の運営者に対して、アイデア３を投稿する度に支払うものである。  そのため、投稿料４は、アイデア３の有用性を図る尺度のような性質を有している。従って、投稿料４は、情報処理システム１（アイデア投稿サービス）の月額利用料とは異なる。また、投稿料４は、情報処理システム１の運営者が投稿者２に対して支払う報酬のような性質のものとも異なる。
【００１６】  「投稿者２によって複数の選択肢の中から選択された金額データ」とは、例えば、規定の上限（例えば１万円）を上回らない範囲（例えば１円〜１万円）内で投稿者２自らが提示した金額データ（例えば、８千円）を指している。「金額データに対応する指標データ」は、例えば、金銭的な価値のあるポイント（例えば、１ポイントにつき１円に相当するポイント）や、金額データを段階的に表現したランク（  例えば、Ａランク１万円，Ｂランク５千円，Ｃランク１千円）を含む概念である。従って、投稿料４がポイントである場合には、「投稿者２によって複数の選択肢の中から選択された金額データに対応する指標データ」とは、例えば、規定の上限（例えば１万ポイント）を上回らない範囲（例えば１ポイント〜１万ポイント）内で投稿者２自らが提示したポイント（  例えば、８千ポイント）を指している。なお、投稿料４が金額データやポイントである場合に、受付部２１０によって、投稿者２によって選択される金額データやポイントの上限が規制されていてもよいし、規制されていなくてもよい。なお、上記の金額データの単位は、円以外の単位（例えば、ドルやユーロ）であってもよい。
【００１７】  受付部２１０は、アイデア３の投稿を受け付ける際に、アイデア３の自己評価に関する１または複数のパラメータを提示し、提示した１または複数のパラメータにおける評価レベルの選択結果に応じた金額データもしくはそれに対応する指標データを受け付けてもよい。ここで、１または複数のパラメータとしては、例えば、芸術性、販売予測数、実用性、革新性、実現性、先進性、流行性、浸透性および緊急性のうちの少なくとも１つが挙げられる。
【００１８】  受付部２１０は、アイデア３の投稿に際して、投稿者２に関する情報（投稿者情報５）を受け付ける。投稿者情報５は、例えば、投稿者ＩＤ（ｉｄｅｎｔｉｔｙ）（５Ａ）および投稿者ＰＷ（ｐａｓｓｗｏｒｄ）（５Ｂ）を含んでいる。受付部２１０は、投稿者情報５が例えばサーバ装置３００に登録されている情報と符合する場合に限り、アイデア３の投稿を許容してもよい。
【００１９】  出力部２２０は、受付部２１０で受け付けたアイデア３を、受付部２１０で受け付けた投稿料４と関連付けて出力する。出力部２２０は、例えば、受付部２１０で受け付けたアイデア３、投稿料４および投稿者ＩＤ（５Ａ）を含むファイルを、ネットワーク１００を介してサーバ装置３００に出力する。
【００２０】（サーバ装置３００）
図４、図５は、サーバ装置３００の概略構成の一例を表したものである。サーバ装置３００は、受け付けた多数のアイデア３を格納するとともに、格納した多数のアイデア３の中から、必要に応じたものを抽出して出力するサーバ装置であり、例えば、受付部３１０、処理部３２０および記憶部３３０を有している。記憶部３３０は、サーバ装置３００とは物理的に異なる別の装置に実装されていてもよい。
【００２１】  受付部３１０および処理部３２０は、例えば、ネットワークインターフェース３０１と、プロセッサ３０２と、メモリ３０３とを含んで構成されている。ネットワークインターフェース３０１は、ネットワーク１００を介して端末装置２００または端末装置４００と通信するための通信インターフェースである。プロセッサ３０２は、メモリ３０３に記憶されたウェブサーバプログラム３０３Ａや、ウェブアプリケーションプログラム３０３Ｂなどを実行する。メモリ３０３は、プロセッサ３０２によって実行されるプログラム（例えば、ウェブサーバプログラム３０３Ａや、ウェブアプリケーションプログラム３０３Ｂ）などを格納する。受付部３１０および処理部３２０の機能は、例えば、プロセッサ３０２によって、ウェブサーバプログラム３０３Ａやウェブアプリケーションプログラム３０３Ｂが実行されることによって実現される。
【００２２】  受付部３１０は、投稿されたアイデア３と、アイデア３に対する投稿料４としてアイデア３の投稿者２によって複数の選択肢の中から選択された金額データもしくはそれに対応する指標データとを受け付ける。受付部３１０は、例えば、投稿されたアイデア３を、アイデア３に対する投稿料４としてアイデア３の投稿者２によって複数の選択肢の中から選択された金額データもしくはそれに対応する指標データと関連付けて受け付ける。受付部３１０は、例えば、アイデア３、投稿料４および投稿者ＩＤ（５Ａ）を含むファイルを、ネットワーク１００を介して端末装置２００から受け付ける。
【００２３】  処理部３２０は、受付部３１０で受け付けたアイデア３を受付部３１０で受け付けた投稿料４と関連付けて記憶部３３０に格納する。処理部３２０は、例えば、受付部３１０で受け付けたアイデア３を受付部３１０で受け付けた投稿料４と関連付けて、記憶部３３０内のデータベース３３０Ａに格納する。記憶部３３０は、データベース３３０Ａを有している。データベース３３０Ａには、投稿者２から投稿された多数のアイデア３が投稿料４と関連付けて格納される。記憶部３３０には、例えば、投稿者情報５が含まれている。
【００２４】  図６は、データベース３３０Ａの一例を模式的に表したものである。データベース３３０Ａでは、概要文字データ３Ａおよび詳細文字データ３Ｂを含むアイデア３が、例えば、投稿料４、投稿者ＩＤ、投稿日時および選択フラグと関連付けられている。  投稿日時は、例えば、受付部３１０がアイデア３を受け付けた日時である。処理部３２０が、例えば、アイデア３をデータベース３３０Ａに書き込む際に、  投稿日時もデータベース３３０Ａに書き込む。選択フラグは、例えば、後述する「アイデア３（概要文字データ３Ａ）の選択」がなされているか否かを示すものである。図４では、選択フラグ＝０は、後述する「アイデア３（概要文字データ３Ａ）の選択」がなされていないことを示しており、選択フラグ＝１は、後述する「アイデア３（概要文字データ３Ａ）の選択」がなされていることを示している。
【００２５】  なお、データベース３３０Ａは、図６の構成に限定されるものではない。選択フラグと同様の役割を有するものが、選択フラグの代わりにデータベース３３０Ａに設けられていてもよい。また、データベース３３０Ａにおいて、投稿日時が省略されていてもよい。また、データベース３３０Ａにおいて、図６に記載されていないものが含まれていてもよい。
【００２６】  処理部３２０は、端末装置４００からの要請（具体的には後述の送信要請４１０Ａ）に基づいて、記憶部３３０内のデータベース３３０Ａから、複数の概要文字データ３Ａを、投稿料４と関連付けた第１リスト３２０Ａとして出力するか、または、投稿料４に基づいて並べた第２リスト３２０Ｂとして出力する。第２リスト３２０Ｂには、概要文字データ３Ａごとに対応付けた投稿料４が含まれていてもよいし、含まれていなくてもよい。
【００２７】  ところで、受付部３１０が、第１リスト３２０Ａ若しくは第２リスト３２０Ｂ内の概要文字データ３Ａの選択（具体的には後述の送信要請４１０Ｂ）を受け付けた場合には、処理部３２０は、受付部３１０で受け付けた選択の対象である概要文字データ３Ａに対応する詳細文字データ３Ｂを記憶部３３０内のデータベース３３０Ａから読み出し、出力する。このとき、処理部３２０は、例えば、受付部３１０で受け付けた選択の対象である概要文字データ３Ａに対応する選択フラグを１にする。処理部３２０は、概要文字データ３Ａの選択後に、端末装置４００からの要請（具体的には後述の送信要請４１０Ａ）があった場合には、第１リスト３２０Ａ若しくは第２リスト３２０Ｂとして、受付部３１０で受け付けた選択の対象である概要文字データ３Ａを含まないものを出力する。処理部３２０は、例えば、端末装置４００からの要請（具体的には後述の送信要請４１０Ａ）に基づいて、記憶部３３０内のデータベース３３０Ａに含まれる複数の概要文字データ３Ａのうち選択フラグ＝０に該当するものを、投稿料４と関連付けた第１リスト３２０Ａとして出力するか、または、投稿料４に基づいて並べた第２リスト３２０Ｂとして出力する。つまり、処理部３２０は、概要文字データ３Ａの選択後に、端末装置４００からの要請（具体的には後述の送信要請４１０Ａ）があった場合には、第１リスト３２０Ａ若しくは第２リスト３２０Ｂから、選択の対象である概要文字データ３Ａを削除する。
【００２８】  処理部３２０は、選択の対象である概要文字データ３Ａにおいて所定の条件が満たされた後に、端末装置４００からの要請（具体的には後述の送信要請４１０Ａ）があった場合には、第１リスト３２０Ａ若しくは第２リスト３２０Ｂとして、所定の条件が満たされた概要文字データ３Ａを含むものを出力する。ここで、「所定の条件」としては、例えば、以下の（ａ），（ｂ），または（ｃ）に記載の条件が挙げられる。
（ａ）概要文字データ３Ａの選択後、一定期間を経過すること
（ｂ）概要文字データ３Ａの選択後、所定の期間内に更新の申請が無いこと
（ｃ）概要文字データ３Ａの選択後、更新しない旨の申請があること
【００２９】  処理部３２０は、例えば、選択の対象である概要文字データ３Ａにおいて所定の条件が満たされたときには、記憶部３３０内のデータベース３３０Ａに含まれる複数の概要文字データ３Ａのうち、所定の条件が満たされた概要文字データ３Ａに関連付けられた選択フラグを０に変更する。続いて、処理部３２０は、例えば、記憶部３３０内のデータベース３３０Ａに含まれる複数の概要文字データ３Ａのうち、選択フラグ＝０のものを、投稿料４と関連付けた第１リスト３２０Ａとして出力するか、または、投稿料４に基づいて並べた第２リスト３２０Ｂとして出力する。つまり、処理部３２０は、選択の対象である概要文字データ３Ａにおいて所定の条件が満たされた後では、第１リスト３２０Ａ若しくは第２リスト３２０Ｂに、所定の条件が満たされた概要文字データ３Ａを復活させる。
【００３０】（端末装置４００）
図７、図８は、端末装置４００の概略構成の一例を表したものである。端末装置４００は、例えば企業の担当者が自社の商品開発に必要なアイデアの探索に使用する端末装置である。端末装置４００は、例えば、記憶部３３０から情報を読み出す読出部４１０と、読出部４１０で読み出した情報を処理する処理部４２０と、処理部４２０で処理された情報を表示する表示部４３０とを有している。表示部４３０は、例えば、処理部４２０からの映像信号に基づいて映像を表示する表示パネルを含んで構成されている。端末装置４００は、さらに、例えば、企業の担当者からの入力を受け付ける受付部４４０を有している。
【００３１】  読出部４１０、処理部４２０、表示部４３０および受付部４４０は、例えば、入力装置４０１と、プロセッサ４０２と、ネットワークインターフェース４０３と、メモリ４０４とを含んで構成されている。入力装置４０１は、キーボードやタッチパネルなどで構成されている。プロセッサ４０２は、メモリ４０４に記憶されたウェブブラウザプログラム４０４Ａや、オペレーティングシステムなどを実行する。ネットワークインターフェース４０３は、ネットワーク１００を介してサーバ装置３００と通信するための通信インターフェースである。メモリ４０４は、プロセッサ４０２によって実行されるプログラム（例えば、ウェブブラウザプログラム４０４Ａや、オペレーティングシステム）などを格納する。読出部４１０、処理部４２０、表示部４３０および受付部４４０の機能は、例えば、サーバ装置３００から取得したアプリケーション（例えばｈｔｍｌデータ）をウェブブラウザプログラム４０４Ａで処理することにより実現される。受付部４４０および表示部４３０の入力インターフェース（つまり、入力装置４０１の入力インターフェース）は、例えば、サーバ装置３００から取得したアプリケーション（例えばｈｔｍｌデータ）をウェブブラウザプログラム４０４Ａで処理することにより実現される。
【００３２】  読出部４１０は、記憶部３３０から、記憶部３３０内の情報として、複数の概要文字データ３Ａと、各概要文字データ３Ａに対応する複数の投稿料４とを読み出す。例えば、受付部４４０が、記憶部３３０内の情報の読み出し要請４４０Ａを受け付ける。すると、受付部４４０は、読み出し要請４４０Ａを受け付けたことを読出部４１０に通知する。読出部４１０は、そのような通知を受け取ると、記憶部３３０内の情報の送信要請４１０Ａを、ネットワーク１００を介してサーバ装置３００に送信する。読出部４１０は、その送信要請４１０Ａに応じて処理部３２０によって記憶部３３０内のデータベース３３０Ａから読み出された情報（複数の概要文字データ３Ａ、および各概要文字データ３Ａに対応する複数の投稿料４）を、ネットワーク１００を介して受信する。
【００３３】  処理部４２０は、記憶部３３０から読み出した複数の概要文字データ３Ａを投稿料４と関連付けた第１リスト３２０Ａとして表示部４３０に表示させるか、または、投稿料４に基づいて並べた第２リスト３２０Ｂとして表示部４３０に表示させる。  例えば、処理部４２０は、記憶部３３０から読み出した複数の概要文字データ３Ａを投稿料４と関連付けた第１リスト３２０Ａとして表示部４３０に表示させる映像信号４２０Ａを表示部４３０に送信するか、または、記憶部３３０から読み出した複数の概要文字データ３Ａを投稿料４に基づいて並べた第２リスト３２０Ｂとして表示部４３０に表示させる映像信号４２０Ｂを表示部４３０に送信する。すると、表示部４３０は、処理部４２０から入力された映像信号４２０Ａもしくは映像信号４２０Ｂに基づいて、第１リスト３２０Ａまたは第２リスト３２０Ｂを表示する。
【００３４】  受付部４４０は、第１リスト３２０Ａまたは第２リスト３２０Ｂ内の概要文字データ３Ａの選択４４０Ｂを受け付ける。受付部４４０は、選択４４０Ｂを受け付けると、選択４４０Ｂを受け付けたことを読出部４１０に通知する。読出部４１０は、そのような通知を受け取ると、受付部４４０で受け付けた選択４４０Ｂの対象である概要文字データ３Ａに対応する詳細文字データ３Ｂを記憶部３３０内のデータベース３３０Ａから読み出す。例えば、読出部４１０は、選択４４０Ｂを受け付けた旨の通知を受付部４４０から受け取ると、受付部４４０で受け付けた選択４４０Ｂの対象である概要文字データ３Ａに対応する詳細文字データ３Ｂの送信要請４１０Ｂを、ネットワーク１００を介してサーバ装置３００に送信する。読出部４１０は、その送信要請４１０Ｂに応じて処理部３２０によって記憶部３３０内のデータベース３３０Ａから読み出された詳細文字データ３Ｂを、ネットワーク１００を介して受信する。
【００３５】  処理部４２０は、記憶部３３０から読み出した詳細文字データ３Ｂを表示部４３０に表示させる。例えば、処理部４２０は、記憶部３３０から読み出した詳細文字データ３Ｂを表示部４３０に表示させる映像信号４２０Ｃを表示部４３０に送信する。すると、表示部４３０は、処理部４２０から入力された映像信号４２０Ｃに基づいて、詳細文字データ３Ｂを表示する。
【００３６】［動作］
次に、本実施の形態に係る情報処理システム１の動作について説明する。図９は、受付部２１０の入力インターフェース２１１（つまり、入力装置２０１の入力インターフェース）の一例を表したものである。図１０、図１１は、受付部４４０および表示部４３０の入力インターフェース４４１，４４２（つまり、入力装置４０１の入力インターフェース）の一例を表したものである。
【００３７】  入力インターフェース２１１は、例えば、アイデア３の入力を受け付ける投稿窓２１２と、投稿料４の入力を受け付ける選択ボタン２１３，２１４と、アイデア３を送信する送信ボタン２１５とを有している。投稿窓２１２は、例えば、概要文字データ３Ａの入力を受け付ける投稿窓２１２Ａと、詳細文字データ３Ｂの入力を受け付ける投稿窓２１２Ｂと、資料（例えば、設計データファイルや、プレゼンテーション資料など）の添付を受け付ける投稿窓２１２Ｃとを有している。投稿窓２１２は、さらに、例えば、投稿窓２１２Ｃへの入力を助けるアドレス参照用の参照ボタン２１２Ｄと、投稿窓２１２Ｃを削除する削除ボタン２１２Ｅと、投稿窓２１２Ｃを追加する追加ボタン２１２Ｆとを有していてもよい。なお、投稿窓２１２Ｃの代わりに、詳細文字データ３Ｂよりもより詳細なデータ（例えば、アイデア３の具体例など）の入力を受け付ける投稿窓が設けられていてもよい。選択ボタン２１３は、例えば、複数の選択肢の中から金額データを選択するためのボタンである。選択ボタン２１４は、例えば、複数の選択肢の中から、金額データに対応する指標データを選択するためのボタンである。
【００３８】  入力インターフェース４４１は、例えば、記憶部３３０から読み出した複数の概要文字データ３Ａをリスト表示する概要表示窓４４１Ａと、概要表示窓４４１Ａに表示された概要文字データ３Ａごとに１つずつ割り当てられた複数の選択ボタン４４１Ｂとを有している。入力インターフェース４４２は、例えば、入力インターフェース４４１で選択された選択ボタン４４１Ｂに対応する概要文字データ３Ａを表示する概要表示窓４４２Ａと、概要表示窓４４２Ａに表示された概要文字データ３Ａに対応する詳細文字データ３Ｂを表示する詳細表示窓４４２Ｂと、選択ボタン４４２Ｃとを有している。
【００３９】  まず、投稿者２は、端末装置２００の受付部２１０に対して、投稿者情報５を入力する。すると、受付部２１０は、投稿者情報５を受け付ける。このとき、受付部２１０は、例えば、受け付けた投稿者情報５と、サーバ装置３００に登録されている情報（投稿者情報５）とを照合し、その結果、一致する情報がサーバ装置３００に登録されていた場合には、アイデア３の投稿を許容する。つまり、受付部２１０が、入力インターフェース２１１を表示画面に表示する。
【００４０】  次に、投稿者２は、受付部２１０に対して、アイデア３を投稿するとともに、複数の選択肢の中から金額データもしくはそれに対応する指標データを選択する。投稿者２は、例えば、投稿窓２１２を介して、アイデア３を投稿するとともに、選択ボタン２１３または選択ボタン２１４を介して、複数の選択肢の中から金額データもしくはそれに対応する指標データを選択する。すると、受付部２１０が、アイデア３の投稿を受け付けるとともに、投稿者２によって複数の選択肢の中から選択された金額データもしくはそれに対応する指標データを、アイデア３に対する投稿料４として受け付ける。
【００４１】  次に、出力部２２０は、受付部２１０で受け付けたアイデア３を、受付部２１０で受け付けた投稿料４と関連付けてサーバ装置３００へ出力する。すると、サーバ装置３００の受付部３１０は、投稿されたアイデア３と、アイデア３に対する投稿料４としてアイデア３の投稿者２によって複数の選択肢の中から選択された金額データもしくはそれに対応する指標データとを受け付ける。次に、処理部３２０は、受付部３１０で受け付けたアイデア３を、受付部３１０で受け付けた投稿料４と関連付けて記憶部３３０内のデータベース３３０Ａに格納する。
【００４２】  多数の投稿者２によってアイデア３が投稿されると、上記と同様のステップを経て、投稿された各アイデア３が、対応する投稿料４と関連付けて記憶部３３０内のデータベース３３０Ａに格納される。
【００４３】  企業の担当者（担当者Ａ）は、端末装置４００の受付部４４０に対して、記憶部３３０内の情報の読み出し要請４４０Ａを行う。すると、端末装置４００の読出部４１０は、記憶部３３０から、記憶部３３０内の情報として、複数の概要文字データ３Ａと、各概要文字データ３Ａに対応する複数の投稿料４とを読み出す。端末装置４００の処理部４２０は、記憶部３３０から読み出した複数の概要文字データ３Ａを投稿料４と関連付けた第１リスト３２０Ａとして表示部４３０に表示させるか、または、投稿料４に基づいて並べた第２リスト３２０Ｂとして表示部４３０に表示させる。端末装置４００の処理部４２０は、例えば、第１リスト３２０Ａまたは第２リスト３２０Ｂを概要表示窓４４１Ａに表示させる。
【００４４】  担当者Ａは、端末装置４００の受付部４４０に対して、第１リスト３２０Ａまたは第２リスト３２０Ｂ内の概要文字データ３Ａの選択４４０Ｂを行う。担当者Ａは、例えば、概要表示窓４４１Ａに表示された第１リスト３２０Ａまたは第２リスト３２０Ｂの中から１つの概要文字データ３Ａに対応する選択ボタン４４１Ｂを選択する。すると、読出部４１０は、受付部４４０で受け付けた選択４４０Ｂの対象である概要文字データ３Ａに対応する詳細文字データ３Ｂを記憶部３３０から読み出す。処理部４２０は、読み出された詳細文字データ３Ｂを表示部４３０に表示する。処理部４２０は、例えば、受付部４４０で受け付けた選択４４０Ｂの対象である概要文字データ３Ａを概要表示窓４４２Ａに表示させるとともに、記憶部３３０から読み出された詳細文字データ３Ｂを詳細表示窓４４２Ｂに表示させる。このとき、受付部３１０で受け付けた選択４４０Ｂの対象である概要文字データ３Ａに対応する選択フラグが１に変更される。
【００４５】  その後、別の企業の担当者（担当者Ｂ）は、端末装置４００の受付部４４０に対して、記憶部３３０内の情報の読み出し要請４４０Ａを行う。すると、記憶部３３０から、記憶部３３０内の情報として、複数の概要文字データ３Ａと、各概要文字データ３Ａに対応する複数の投稿料４とが読み出される。つまり、第１リスト３２０Ａ若しくは第２リスト３２０Ｂがサーバ装置３００の処理部３２０から、担当者Ｂの端末装置４００へ出力される。
【００４６】  このとき、第１リスト３２０Ａ若しくは第２リスト３２０Ｂとして、選択４４０Ｂの対象である概要文字データ３Ａを含まないものが出力される。例えば、記憶部３３０内のデータベース３３０Ａに含まれる複数の概要文字データ３Ａのうち選択フラグ＝０に該当するものが、投稿料４と関連付けた第１リスト３２０Ａとして出力されるか、または、投稿料４に基づいて並べた第２リスト３２０Ｂとして出力される。つまり、概要文字データ３Ａが選択される前には第１リスト３２０Ａ若しくは第２リスト３２０Ｂ内に存在していた概要文字データ３Ａが削除される。
【００４７】  その後、所定の条件が満たされた後に、担当者Ｂが、端末装置４００の受付部４４０に対して、記憶部３３０内の情報の読み出し要請４４０Ａを行う。すると、記憶部３３０から、記憶部３３０内の情報として、複数の概要文字データ３Ａと、各概要文字データ３Ａに対応する複数の投稿料４とが読み出される。例えば、所定の条件が満たされたときに、記憶部３３０内のデータベース３３０Ａに含まれる複数の概要文字データ３Ａのうち、所定の条件が満たされた概要文字データ３Ａに関連付けられた選択フラグが０に変更される。その後、例えば、記憶部３３０内の情報の読み出し要請４４０Ａがなされたときに、記憶部３３０内のデータベース３３０Ａに含まれる複数の概要文字データ３Ａのうち、選択フラグ＝０のものが、投稿料４と関連付けた第１リスト３２０Ａとして出力されるか、または、投稿料４に基づいて並べた第２リスト３２０Ｂとして出力される。つまり、第１リスト３２０Ａ若しくは第２リスト３２０Ｂにおいて、一度は削除された概要文字データ３Ａが復活する。
【００４８】［効果］
次に、本実施の形態に係る情報処理システム１の効果について説明する。
【００４９】  近年、社外のアイデアや発明を積極的に取り入れて、新しい商品やサービスの開発を行うオープンイノベーションという開発手法が注目されている。このオープンイノベーションを実現するためには、自らが、必要とする社外のアイデアを探すことが必要となる。しかし、社外のアイデアを探すことは、容易ではない。そこで、例えば、上記特許文献１などでは、必要とする社外のアイデアを取得するためのシステムが提案されている。
【００５０】  しかし、玉石混合の多数のアイデアの中から、有望なものを見つけ出すことは容易ではない。集めたアイデアを、多数の評価者による投票数に応じてランキングするなどの手法が考えられる。しかし、そのような手法を用いた場合には、評価者の目利き力がランキングに反映されてしまい、ダイヤの原石のようなアイデアが正当に評価されずに埋もれてしまうおそれがある。また、多数のアイデアを評価するためには、非常に多くの手間と時間を要するので、このシステムを運用するための人手やコストを負担し続けることは、  非常に困難である。
【００５１】  一方、本実施の形態に係る情報処理システム１では、アイデア３の投稿が受け付けられるとともに、アイデア３の投稿者２によって複数の選択肢の中から選択された金額データもしくはそれに対応する指標データがアイデア３に対する投稿料４として受け付けられる。そして、受け付けたアイデア３が、受け付けた投稿料４と関連付けて出力される。  ここで、投稿料４の高さは、投稿者２の、アイデア３に対する熱意の高さ、すなわち、アイデア３の有望さと大きな相関を持っている。そのため、投稿された多数のアイデア３を投稿料４の多寡に応じて並べた場合には、有望なアイデア３ほど、リストの上位に並び、陳腐なアイデア３ほど、リストの下位に並ぶことになる。従って、端末装置４００を使用する企業の担当者は、玉石混合の多数のアイデア３を投稿料４の多寡に応じて並べたリストの上位を優先して確認することで、有望なアイデア３に容易にたどり着くことができる。
【００５２】  このように、本実施の形態では、多数のアイデア３のリスト化に際して、評価者による評価（目利き力）が利用されておらず、投稿料４の高さが利用されている。つまり、アイデア３が、評価者によって評価される対象（被評価対象）ではないので、アイデア３が、評価者によって評価される対象（被評価対象）となっているシステムと比べて、このシステムを運用するための人手やコストを極端に少なくすることができる。従って、集めた多数のアイデア３の中から有望なアイデア３を容易に見つけ出すことができる。
【００５３】  また、本実施の形態では、記憶部３３０から読み出した複数の概要文字データ３Ａが、投稿料４と関連付けた第１リスト３２０Ａとして出力されるか、または、投稿料４に基づいて並べた第２リスト３２０Ｂとして出力される。これにより、企業の担当者は、玉石混合の多数のアイデア３（概要文字データ３Ａ）を投稿料４の多寡に応じて並べた状態で、そのリストの上位を優先して確認するだけで、有望なアイデア３に容易にたどり着くことができる。従って、集めた多数のアイデア３の中から有望なアイデア３を容易に見つけ出すことができる。
【００５４】  また、本実施の形態では、受付部３１０で受け付けた選択の対象である概要文字データ３Ａに対応する詳細文字データ３Ｂが記憶部３２０から読み出され、出力される。これにより、リストの中で気になるアイデア３についてだけ、詳しい内容を確認することができるので、当初から各アイデア３が詳しく書かれている場合と比べて、有望なアイデア３に容易にたどり着くことができる。従って、集めた多数のアイデア３の中から有望なアイデア３を容易に見つけ出すことができる。
【００５５】  また、本実施の形態では、概要文字データ３Ａの選択後には、第１リスト３２０Ａ若しくは第２リスト３２０Ｂとして、受付部３１０で受け付けた選択の対象である概要文字データ３Ａを含まないものが出力される。つまり、概要文字データ３Ａの選択後には、第１リスト３２０Ａ若しくは第２リスト３２０Ｂから、受付部３１０で受け付けた選択の対象である概要文字データ３Ａが削除される。これにより、企業の担当者は、既に他社が手を付けている（検討をしている）アイデア３に対して、無駄な工数を割かずに済む。  従って、  集めた多数のアイデア３の  から有望なアイデア３を容易に見つけ出すことができる。
【００５６】  また、本実施の形態では、第１リスト３２０Ａ若しくは第２リスト３２０Ｂとして、受付部３１０で受け付けた選択の対象である概要文字データ３Ａを含まないものが出力された後、所定の条件が満たされたときには、第１リスト３２０Ａ若しくは第２リスト３２０Ｂとして、受付部３１０で受け付けた選択の対象である概要文字データ３Ａを含むものが出力される。つまり、所定の条件が満たされたときには、第１リスト３２０Ａ若しくは第２リスト３２０Ｂに、受付部３１０で受け付けた選択の対象である概要文字データ３Ａが復活される。これにより、企業の担当者は、他社が手離したアイデア３について、自社にとって有望か否かの検討をすることができる。従って、集めた多数のアイデア３の中から有望なアイデア３を容易に見つけ出すことができる。
【００５７】＜２．第１の実施の形態の変形例＞
（変形例Ａ）
上記第１の実施の形態では、アイデア３は、文字数の相対的に少ない概要文字データ３Ａと、文字数の相対的に多い詳細文字データ３Ｂとを含んでいた。しかし、アイデア３が、例えば、概要文字データ３Ａと、詳細文字データ３Ｂと、詳細文字データ３Ｂよりもより詳細な説明データ３Ｃとを含んでいてもよい。説明データ３Ｃが、例えば、アイデア３に関するイラストや写真、設計図面などを含んでいてもよい。このとき、受付部２１０の入力インターフェース２１１（つまり、入力装置２０１の入力インターフェース）は、例えば、説明データ３Ｃを、投稿窓２１２Ｃを介して受け付けてもよい。
【００５８】  図１２は、受付部４４０および表示部４３０の入力インターフェース４４２（つまり、入力装置４０１の入力インターフェース）の一変形例を表したものである。入力インターフェース４４２は、例えば、投稿窓２１２Ｃを介して受け付けた説明データ３Ｃの表示を選択させる選択ボタン４４２Ｄをさらに有している。
【００５９】  本変形例では、説明データ３Ｃの表示を選択させる選択ボタン４４２Ｄが設けられている。これにより、アイデア３の表示を段階的に表示させることができるので、例えば、説明データ３Ｃの選択に際して、何らかのイベントを発生させることが可能となる。
【００６０】（変形例Ｂ）
上記第１の実施の形態およびその変形例において、第１リスト３２０Ａまたは第２リスト３２０Ｂの中から概要文字データ３Ａが選択されたときに、処理部４２０は、選択された概要文字データ３Ａに対応するアイデア３についての秘密保持契約の締結をユーザに要請してもよい。処理部４２０は、例えば、入力インターフェース４４１において、選択ボタン４４１Ｂが選択されたときに、処理部４２０は、例えば、図１３に示したように、入力インターフェース４４１に重ねて、または、入力インターフェース４４１に代えて、入力インターフェース４４３を表示部４３０に表示させてもよい。入力インターフェース４４３は、選択された概要文字データ３Ａに対応するアイデア３についての秘密保持契約の締結をユーザに要請するものである。入力インターフェース４４３は、例えば、秘密保持契約の文書を表示する契約文表示窓４４３Ａと、秘密保持契約に同意しないことを示す非同意ボタン４４３Ｂと、秘密保持契約に同意することを示す同意ボタン４４３Ｃとを有している。
【００６１】  処理部４２０は、ユーザから秘密保持契約の締結の受諾を受け付けた場合には、秘密保持契約の対象であるアイデア３の詳細文字データ３Ｂを表示部４３０に表示させてもよい。処理部４２０は、例えば、同意ボタン４４３Ｃが選択された場合には、秘密保持契約の対象であるアイデア３の詳細文字データ３Ｂを表示部４３０に表示させてもよい。このとき、処理部４２０は、例えば、秘密保持契約の対象であるアイデア３の詳細文字データ３Ｂを、入力インターフェース４４２の詳細表示窓４４２Ｂに表示させる。表示部４３０は、例えば、処理部４２０からの指示に従って、入力インターフェース４４２の詳細表示窓４４２Ｂに、秘密保持契約の対象であるアイデア３の詳細文字データ３Ｂを表示する。
【００６２】  このとき、さらに、処理部４２０は、入力インターフェース４４２の詳細表示窓４４２Ｂに表示されている詳細文字データ３Ｂに対応するアイデア３の説明データ３Ｃの開示の要請を受け付けた場合には、要請を受けた説明データ３Ｃを表示部４３０に表示させてもよい。処理部４２０は、例えば、選択ボタン４４２Ｃが選択された場合には、要請を受けた説明データ３Ｃを表示部４３０に表示させてもよい。表示部４３０は、例えば、処理部４２０からの指示に従って、入力インターフェース４４２の詳細表示窓４４２Ｂに、選択ボタン４４２Ｄを表示させ、ユーザからの選択ボタン４４２Ｄの選択に応じて、説明データ３Ｃを表示してもよい。
【００６３】  本変形例では、入力インターフェース４４１において、選択ボタン４４１Ｂが選択されたときに、選択された概要文字データ３Ａに対応するアイデア３についての秘密保持契約の締結がユーザに要請される。これにより、ユーザによって、むやみやたらと、アイデア３の詳細文字データ３Ｂが閲覧されるのを防止するとともに、ユーザによって閲覧された詳細文字データ３Ｂの第三者への流出を防止することができる。
【００６４】  なお、本変形例において、選択フラグの０から１への変更は、概要文字データ３Ａの選択のときではなく、説明データ３Ｃの開示の要請を受け付けたときであってもよい。このようにした場合には、アイデア３の表示を段階的に表示させることができるだけでなく、アイデア３の段階的な表示ごとに、秘密保持契約の締結を要請したり、概要文字データ３Ａの表示を削除したりすることが可能となる。
【００６５】（変形例Ｃ）
図１４は、サーバ装置３００の概略構成の一変形例を表したものである。本変形例の情報処理装置１は、データベース３３０Ａの代わりにデータベース３３０Ｂを有しており、さらに、データベース３３０Ｃを有している。図１５は、データベース３３０Ｂの一例を模式的に表したものである。図１６は、データベース３３０Ｃの一例を模式的に表したものである。
【００６６】  データベース３３０Ｂは、端末装置４００からのアクセスが可能なものである。データベース３３０Ｂでは、  概要文字データ３Ａおよび詳細文字データ３Ｂを含むアイデア３が、例えば、投稿料４、投稿者ＩＤおよび投稿日時と関連付けられている。つまり、データベース３３０Ｂは、上記実施の形態におけるデータベース３３０Ａにおいて、選択フラグが設けられていないものに相当する。また、データベース３３０Ｂでは、上記実施の形態におけるデータベース３３０Ａにおいて、選択フラグ＝１となっていたアイデア３と、そのアイデア３と関連付けられたデータ（例えば、投稿料４、投稿者ＩＤおよび投稿日時）とが削除されている。
【００６７】  データベース３３０Ｃは、端末装置４００からアクセスがなされないものである。データベース３３０Ｃでは、概要文字データ３Ａおよび詳細文字データ３Ｂを含むアイデア３が、例えば、投稿料４、投稿者ＩＤおよび投稿日時と関連付けられている。つまり、データベース３３０Ｃは、データベース３３０Ｂと同一の構造となっている。しかし、データベース３３０Ｃでは、上記実施の形態におけるデータベース３３０Ａにおいて、選択フラグ＝１となっていたアイデア３と、そのアイデア３と関連付けられたデータ（例えば、投稿料４、投稿者ＩＤおよび投稿日時）とが含まれている。
【００６８】  本変形例では、受付部３１０が、第１リスト３２０Ａ若しくは第２リスト３２０Ｂ内の概要文字データ３Ａの選択（具体的には後述の送信要請４１０Ｂ）を受け付けた場合には、処理部３２０は、受付部３１０で受け付けた選択の対象である概要文字データ３Ａおよび詳細文字データ３Ｂを含むアイデア３と、そのアイデア３と関連付けられたデータ（例えば、投稿料４、投稿者ＩＤおよび投稿日時）とをデータベース３３０Ｂから、データベース３３０Ｃに移動する。処理部３２０は、さらに、受付部３１０で受け付けた選択の対象である概要文字データ３Ａに対応する詳細文字データ３Ｂをデータベース３３０Ｃから読み出し、出力する。
【００６９】  なお、処理部３２０は、受付部３１０で受け付けた選択の対象である概要文字データ３Ａに対応する詳細文字データ３Ｂをデータベース３３０Ｂから読み出した後に、受付部３１０で受け付けた選択の対象である概要文字データ３Ａおよび詳細文字データ３Ｂを含むアイデア３と、そのアイデア３と関連付けられたデータ（例えば、投稿料４、投稿者ＩＤおよび投稿日時）とをデータベース３３０Ｂから、データベース３３０Ｃに移動してもよい。
【００７０】  処理部３２０は、概要文字データ３Ａの選択後に、端末装置４００からの要請（具体的には後述の送信要請４１０Ａ）があった場合には、第１リスト３２０Ａ若しくは第２リスト３２０Ｂとして、受付部３１０で受け付けた選択の対象である概要文字データ３Ａを含まないものを出力する。処理部３２０は、例えば、端末装置４００からの要請（具体的には後述の送信要請４１０Ａ）に基づいて、記憶部３３０内のデータベース３３０Ｂに含まれる複数の概要文字データ３Ａを、投稿料４と関連付けた第１リスト３２０Ａとして出力するか、または、投稿料４に基づいて並べた第２リスト３２０Ｂとして出力する。つまり、処理部３２０は、概要文字データ３Ａの選択後に、端末装置４００からの要請（具体的には後述の送信要請４１０Ａ）があった場合には、第１リスト３２０Ａ若しくは第２リスト３２０Ｂから、選択の対象である概要文字データ３Ａを削除する。
【００７１】  本変形例では、上記実施の形態と同様、概要文字データ３Ａの選択後には、第１リスト３２０Ａ若しくは第２リスト３２０Ｂとして、受付部３１０で受け付けた選択の対象である概要文字データ３Ａを含まないものが出力される。つまり、概要文字データ３Ａの選択後には、第１リスト３２０Ａ若しくは第２リスト３２０Ｂから、受付部３１０で受け付けた選択の対象である概要文字データ３Ａが削除される。これにより、企業の担当者は、既に他社が手を付けている（検討をしている）アイデア３に対して、無駄な工数を割かずに済む。従って、集めた多数のアイデア３の中から有望なアイデア３を容易に見つけ出すことができる。
【００７２】  また、本変形例では、第１リスト３２０Ａ若しくは第２リスト３２０Ｂとして、  受付部３１０で受け付けた選択の対象である概要文字データ３Ａを含まないものが出力された後、所定の条件が満たされたときには、第１リスト３２０Ａ若しくは第２リスト３２０Ｂとして、所定の条件が満たされた概要文字データ３Ａを含むものが出力される。具体的には、所定の条件が満たされたときには、処理部３２０は、所定の条件が満たされた概要文字データ３Ａおよび詳細文字データ３Ｂを含むアイデア３と、そのアイデア３と関連付けられたデータ（例えば、投稿料４、投稿者ＩＤおよび投稿日時）とをデータベース３３０Ｃから、データベース３３０Ｂに移動する。つまり、所定の条件が満たされたときには、第１リスト３２０Ａ若しくは第２リスト３２０Ｂに、所定の条件が満たされた概要文字データ３Ａが復活する。これにより、企業の担当者は、  他社が手離したアイデア３について、自社にとって有望か否かの検討をすることができる。従って、集めた多数のアイデア３の中から有望なアイデア３を容易に見つけ出すことができる。
【００７３】（変形例Ｄ）
上記実施の形態およびその変形例に係る情報処理システム１において、  読出部４１０は、記憶部３３０から、記憶部３３０内の情報として、投稿料４に基づいて並べられた複数の概要文字データ３Ａを読み出してもよい。例えば、受付部４４０が、記憶部３３０内の情報の読み出し要請４４０Ａを受け付ける。すると、受付部４４０は、読み出し要請４４０Ａを受け付けたことを読出部４１０に通知する。読出部４１０は、そのような通知を受け取ると、記憶部３３０内の情報の送信要請４１０Ａを、ネットワーク１００を介してサーバ装置３００に送信する。サーバ装置３００の処理部３２０は、その送信要請４１０Ａに応じて、記憶部３３０内のデータベース３３０Ａから情報（複数の概要文字データ３Ａ、および各概要文字データ３Ａに対応する複数の投稿料４）を読み出し、読み出した複数の概要文字データ３Ａを投稿料４に基づいて並べる。処理部３２０は、さらに、投稿料４に基づいて並べられた複数の概要文字データ３Ａを、ネットワーク１００を介して端末装置４００に出力する。
【００７４】  このとき、処理部３２０は、投稿料４に基づいて並べられた複数の概要文字データ３Ａを、投稿料４と関連付けて端末装置４００に出力してもよい。また、処理部３２０は、投稿料４に関する情報を含めないで、投稿料４に基づいて並べられた複数の概要文字データ３Ａを、端末装置４００に出力してもよい。
【００７５】  端末装置４００の読出部４１０は、投稿料４に基づいて並べられた複数の概要文字データ３Ａを、ネットワーク１００を介して端末装置４００から受信する。このとき、読出部４１０は、投稿料４に基づいて並べられた複数の概要文字データ３Ａを、投稿料４と関連付けて端末装置４００から受信してもよい。また、読出部４１０は、投稿料４に関する情報を含めないで、投稿料４に基づいて並べられた複数の概要文字データ３Ａを、端末装置４００から受信してもよい。
【００７６】  本変形例では、記憶部３３０から読み出した複数の概要文字データ３Ａが、投稿料４に基づいて並べた第２リスト３２０Ｂとして出力される。これにより、企業の担当者は、玉石混合の多数のアイデア３（概要文字データ３Ａ）を投稿料４の多寡に応じて並べた状態で、そのリストの上位を優先して確認するだけで、有望なアイデア３に容易にたどり着くことができる。従って、集めた多数のアイデア３の中から有望なアイデア３を容易に見つけ出すことができる。
【００７７】（変形例Ｅ）
上記実施の形態およびその変形例に係る情報処理システム１において、投稿料４は、投稿者２がアイデア３に対する投稿料４として支払うことに躊躇し得る程度に高額な固定の金額データもしくはそれに対応する指標データであってもよい。投稿料４は、例えば、５００円、５ドルもしくは５ユーロ以上の固定の金額データもしくはそれに対応する指標データとなっている。投稿料４は、１０００円、１０ドルもしくは１０ユーロ以上の固定の金額データもしくはそれに対応する指標データとなっていることが好ましい。  投稿料４は、５０００円、５０ドルもしくは５０ユーロ以上の固定の金額データもしくはそれに対応する指標データとなっていることがより好ましい。「５００円、５ドルもしくは５ユーロ以上の固定の金額データに対応する指標データ」とは、上述したポイントやランクの他に、円、ドルおよびユーロとは異なる通貨の金額データを含む概念である。
【００７８】  本変形例では、投稿料４は、情報処理システム１の運営者によって決められており、投稿者２は、自分で投稿料４の額を決定することができない。その点で、本変形例の投稿料４の性質は、上記実施の形態およびその変形例における投稿料４の性質とは異なる。しかし、投稿者２は、投稿する度に所定の金額を支払うことを求められるので、  投稿者２には、投稿に対して無駄な対価を支払いたくないという消極的な心理が働く。そのため、このような消極的な心理に打ち勝つだけの熱意をアイデア３に対して持っている投稿者２だけが、アイデア３の投稿をすることになるので、概ね有望なアイデア３だけが情報処理システム１に集まる。
【００７９】  投稿料４が５００円、５ドルもしくは５ユーロ以上の固定の金額データもしくはそれに対応する指標データとなっている場合には、投稿者２は、金銭的な支払いをするという心理的な負担を感じる。そのため、この場合には、  投稿料４が無料となっている場合よりも、より有望なアイデア３が集まり易い。
【００８０】  投稿料４が１０００円、１０ドルもしくは１０ユーロ以上の固定の金額データもしくはそれに対応する指標データとなっている場合には、投稿者２は、比較的高額な紙幣（千円札、１０ドル札、１０ユーロ札）による支払いをするという心理的な負担を感じる。そのため、この場合には、投稿料４が５００円、５ドルもしくは５ユーロ程度の固定の金額データもしくはそれに対応する指標データとなっている場合よりも、より有望なアイデア３が集まり易い。
【００８１】  投稿料４が５０００円、５０ドルもしくは５０ユーロ以上の固定の金額データもしくはそれに対応する指標データとなっている場合には、投稿者２は、かなり高額な紙幣（五千円札、５０ドル札、５０ユーロ札）による支払いをするという心理的な負担を感じる。そのため、この場合には、投稿料４が１０００円、１０ドルもしくは１０ユーロ程度の固定の金額データもしくはそれに対応する指標データとなっている場合よりも、より有望なアイデア３が集まり易い。
【００８２】  このように、本変形例では、  概ね有望なアイデア３だけが情報処理システム１に集まる。従って、端末装置４００を使用する企業の担当者は、有望か否かの選別にあまり手間をかけることなく、集めた多数のアイデア３の中から有望なアイデア３を容易に見つけ出すことができる。
【００８３】＜３．第２の実施の形態＞
次に、本発明の第２の実施形態に係る情報処理システム６について説明する。図１７は、情報処理システム６の概略構成の一例を表したものである。情報処理システム６は、不特定多数の個人や団体、大学若しくは企業などから募った多数のアイデアの中から有望なアイデアを容易に見つけ出すことを可能にするものであり、それにより、ヒット商品の創出を支援することを目的とするものである。
【００８４】  情報処理システム６は、上記第１の実施の形態およびその変形例に係る情報処理システム１において、サーバ装置３００および端末装置４００を兼ねたものとして、端末装置５００を備えたものである。従って、本実施の形態では、上記第１の実施の形態およびその変形例に係る情報処理システム１と同様の効果を有する。
【００８５】＜４．共通の変形例＞
（変形例Ｆ）
上記各実施の形態およびそれらの変形例において、投稿料４としての金額データもしくは指標データは、情報処理システム１，６（アイデア投稿サービス）の利用料データという側面を有している。情報処理システム１，６（アイデア投稿サービス）の利用料データという側面を有するものとしては、例えば、情報処理システム１，６（アイデア投稿サービス）のアカウント料データ、アイデア３の保管料データ、投稿ページ製作料データ、データ入力料データ、照会料データ、自己評価料データ、または、  オプション料データなどが挙げられる。
【００８６】  アカウント料とは、情報処理システム１，６（アイデア投稿サービス）を利用するためのライセンスの取得に対して課せられる費用である。保管料とは、投稿したアイデア３の、サーバ装置３００への保管に対して課せられる費用である。投稿ページ製作料とは、投稿者２ごとに割り当てられる専用のアイデア投稿ページの製作に対して課せられる費用、またはこの専用のアイデア投稿ページのＵＲＬの取得に対して課せられる費用である。データ入力料とは、  アイデア３の情報処理システム１，６へのデータ入力に対して課せられる費用である。照会料とは、投稿されたアイデア３（概要文字データ３Ａ）の端末装置４００での選択に対して課せられる費用である。自己評価料とは、アイデア３に対する商品化可能性もしくはヒット可能性の大きさを投稿者２自らが判断し、その判断した内容に応じて課せられる費用である。オプション料とは、アイデア３を投稿する際の投稿の内容に応じて課せられる費用である。
【００８７】  上記各実施の形態およびそれらの変形例において、受付部２１０は、投稿者２によって複数の選択肢の中から選択された金額データもしくはそれに対応する指標データを情報処理システム１，６（アイデア投稿サービス）のアカウント料データ、アイデア３の保管料データ、投稿ページ製作料データ、データ入力料データ、照会料データ、自己評価料データ、または、オプション料データとして受け付けてもよい。つまり、上記各実施の形態およびそれらの変形例において、受付部２１０は、投稿料４のデータの代わりに、  アカウント料データ、保管料データ、投稿ページ製作料データ、データ入力料データ、照会料データ、自己評価料データ、または、オプション料データを受け付けてもよい。従って、上記各実施の形態およびそれらの変形例において、投稿料４を、アカウント料、アイデア３の保管料、投稿ページ製作料、データ入力料、照会料、自己評価料、または、オプション料に読み替えてもよい。
【００８８】  上記各実施の形態およびそれらの変形例において、受付部２１０は、例えば、アイデア３の投稿の受け付けとは異なる別の機会に、またはアイデア３の投稿を受け付ける際に、情報処理システム１（アイデア投稿サービス）のアカウント料データ、アイデア３の保管料データ、投稿ページ製作料データ、データ入力料データ、照会料データ、自己評価料データ、または、オプション料データを要求し、提示された金額データもしくはそれに対応する指標データを、情報処理システム１，６（アイデア投稿サービス）のアカウント料データ、アイデア３の保管料データ、投稿ページ製作料データ、データ入力料データ、照会料データ、自己評価料データ、または、オプション料データとして受け付けてもよい。このとき、情報処理システム１，６（アイデア投稿サービス）のアカウント料データ、アイデア３の保管料データ、投稿ページ製作料データ、データ入力料データ、照会料データ、自己評価料データ、または、オプション料データは、アイデア３の有用性を図る尺度のような性質を有している。
【００８９】  アカウント料として複数の選択肢が存在する理由としては、例えば、投稿者２に対するサービスの充実度がアカウント料の多寡に応じて異なっていることが考えられる。アイデア３の保管料として複数の選択肢が存在する理由としては、例えば、保管期間や保管可能なデータ容量がアイデア３の保管料の多寡に応じて異なっていることが考えられる。投稿ページ製作料として複数の選択肢が存在する理由としては、例えば、投稿者２に対するサービスの充実度が投稿ページ製作料の多寡に応じて異なっていることが考えられる。文字入力料として複数の選択肢が存在する理由としては、例えば、文字入力料が、投稿されたアイデア３の文字数に応じて異なっていることが考えられる。
【００９０】  照会料として複数の選択肢が存在する理由としては、例えば、投稿されたアイデア３（概要文字データ３Ａ）の選択可能回数（具体的には特定のアイデア３に対する送信要請４１０Ｂの送信可能回数）の多寡に応じて異なっていることが考えられる。自己評価料として複数の選択肢が存在する理由としては、  例えば、投稿者２の、アイデア３に対する商品化可能性もしくはヒット可能性の大きさに応じて投稿者２が自己評価料を設定することが考えられる。オプション料として複数の選択肢が存在する理由としては、例えば、アイデア３として投稿できるデータの種類として、  標準的な文字データの他に、静止画像データ、動画データ、設計図、実験データなどが設定されており、投稿者３によるオプションの選択の多寡に応じて異なっていることが考えられる。
【００９１】  このように、上記各実施の形態およびそれらの変形例において、受付部２１０が、投稿者２によって複数の選択肢の中から選択された金額データもしくはそれに対応する指標データをカウント料データ、保管料データ、投稿ページ製作料データ、文字入力料データ、照会料データ、自己評価料データ、または、オプション料データとして受け付けるようにした場合には、これらの金額もしくはそれに対応する指標の高さは、投稿料４と同様、投稿者２の、アイデア３に対する熱意の高さ、すなわち、  アイデア３の有望さと大きな相関を持っている。そのため、投稿された多数のアイデア３を、  アカウント料、保管料、投稿ページ製作料、文字入力料、照会料、自己評価料、または、オプション料の多寡に応じて並べた場合には、有望なアイデア３ほど、リストの上位に並び、陳腐なアイデア３ほど、リストの下位に並ぶことになる。従って、端末装置４００を使用する企業の担当者は、玉石混合の多数のアイデア３を、  アカウント料、保管料、投稿ページ製作料、文字入力料、照会料、自己評価料、または、オプション料の多寡に応じて並べたリストの上位を優先して確認することで、有望なアイデア３に容易にたどり着くことができる。
【００９２】  このように、本変形例では、多数のアイデア３のリスト化に際して、第三者による評価（目利き力）が利用されておらず、アカウント料、アイデア３の保管料、投稿ページ製作料、文字入力料、照会料、自己評価料、または、オプション料の高さが利用されている。つまり、アイデア３が、第三者によって評価される対象（被評価対象）ではないので、アイデア３が、第三者によって評価される対象（被評価対象）となっているシステムと比べて、このシステムを運用するための人手やコストを極端に少なくすることができる。従って、  集めた多数のアイデア３の中から有望なアイデア３を容易に見つけ出すことができる。
【００９３】  なお、変形例Ｃに対して本変形例を適用する際には、  アカウント料、アイデア３の保管料、投稿ページ製作料、データ入力料、照会料、自己評価料、または、オプション料は、変形例Ｃに記載の金額もしくはそれに対する指標となる。この場合であっても、投稿者２は、アカウント料、アイデア３の保管料、投稿ページ製作料、データ入力料、照会料、自己評価料、または、オプション料に対して、所定の金額を支払うことを求められるので、投稿者２には、投稿に対して無駄な対価を支払いたくないという消極的な心理が働く。そのため、このような消極的な心理に打ち勝つだけの熱意をアイデア３に対して持っている投稿者２だけが、アイデア３の投稿をすることになるので、概ね有望なアイデア３だけが情報処理システム１，６に集まる。
【００９４】  なお、上記各実施の形態およびそれらの変形例において、受付部２１０は、投稿料４、アカウント料、アイデア３の保管料、投稿ページ製作料、文字入力料、照会料、自己評価料、および、オプション料のいずれについても、受け付けなくてもよい。
【００９５】（変形例Ｇ）
上記各実施の形態およびそれらの変形例において、処理部３２０は、概要文字データ３Ａの選択後に、端末装置４００からの要請（具体的には後述の送信要請４１０Ａ）があった場合には、第１リスト３２０Ａ若しくは第２リスト３２０Ｂとして、受付部３１０で受け付けた選択の対象である概要文字データ３Ａの少なくとも一部に対して文字を判読し難くする処理が行われたものを出力する。  「文字を判読し難くする処理」としては、例えば、文字をグレイアウト（グレー色で表示すること）したり、ぼかしたりすることが挙げられる。このようにした場合には、企業の担当者は、既に他社が手を付けている（検討をしている）アイデア３に対して、無駄な工数を割かずに済む。従って、集めた多数のアイデア３の中から有望なアイデア３を容易に見つけ出すことができる。
【００９６】（変形例Ｈ）
上記各実施の形態およびそれらの変形例では、受付部２１０は、アイデア３に対する投稿料４の決定権を投稿者２に与え、投稿者２によって提示（入力）された任意の投稿料４を受け付けていた。しかし、上記各実施の形態およびそれらの変形例において、投稿者２が情報処理システム１，６とは異なるシステムにおいて複数の選択肢の中から金額データもしくはそれに対応する指標データを選択し、受付部２１０が、投稿者２によって選択された金額データもしくは指標データを受け付けてもよい。つまり、受付部２１０自体は、金額データもしくは指標データの決定権を投稿者２に与えず、投稿者２によって情報処理システム１，６とは異なるシステムにおいて複数の選択肢の中から選択された金額データもしくは指標データを受け付けてもよい。
【００９７】  例えば、購入金額の互いに異なる複数のカード（例えば、５００円のカード、５０００円のカード、１万円のカード）が販売されているとする。これらのカードには、識別用の文字列（例えば、シリアルナンバー、ＩＤナンバー、ＵＲＬ）、または、識別用のマーク（例えば、バーコード）が記載されている。識別用の文字列、または、  識別用のマークが、カードの値段と対応関係にある。投稿者２は、購入金額の互いに異なる複数のカード（選択肢）の中から１つのカードを選択（購入）し、選択（購入）したカードに記載の識別用の文字列、または、識別用のマークを受付部２１０に入力する。受付部２１０は、投稿者２によって選択（購入）されたカードに記載の識別用の文字列、または、識別用のマークの入力を受け付ける。
【００９８】  このようにした場合であっても、上記各実施の形態およびそれらの変形例と同様に、有望なアイデアを容易に集めたり、集めた多数のアイデアの中から有望なアイデアを容易に見つけ出したりすることができる。
【００９９】（変形例Ｉ）
上記各実施の形態およびそれらの変形例では、受付部２１０は、アイデア３に対する投稿料４の決定権を投稿者２に与え、投稿者２によって提示（入力）された任意の投稿料４を受け付けていた。しかし、上記各実施の形態およびそれらの変形例において、投稿者２が情報処理システム１，６の利用期間を選択し、選択した利用期間に、情報処理システム１，６にログインしてもよい。また、上記各実施の形態およびそれらの変形例において、投稿者２が情報処理システム１，６の利用期間を選択し、選択した利用期間に、アイデア３の、情報処理システム１，６への提供（入力）を行ってもよい。利用期間としては、例えば、利用時間帯、利用日、利用週もしくは利用曜日などが挙げられる。利用期間が利用時間帯である場合、区分される複数の利用時間帯が常に固定されていてもよいし、何らかの要因（例えば天気）に応じて変化してもよい。
【０１００】  投稿者２は、情報処理システム１，６にログインした時刻に対応する利用期間に基づいた金額もしくはそれに対応する指標の支払いを、情報処理システム１，６を通じて、または、情報処理システム１，６とは異なるシステムを通じて行ってもよい。また、投稿者２は、アイデア３の、情報処理システム１，６への提供（入力）を行った時刻に対応する利用期間に基づいた金額もしくはそれに対応する指標の支払いを、情報処理システム１，６を通じて、または、情報処理システム１，６とは異なるシステムを通じて行ってもよい。
【０１０１】  例えば、利用期間が利用曜日であった場合、月曜日、水曜日および金曜日が、投稿料４が５００円の日に該当し、火曜日、木曜日および土曜日が、投稿料４が５０００円の日に該当し、日曜日が、投稿料４が１万円の日に該当する。投稿者２による利用期間の選択（ログイン時刻の選択、アイデア提供時刻の選択）が、アイデア３の投稿料４の選択に相当する。
【０１０２】  受付部２１０は、投稿者２によって複数の選択肢（時刻）の中から選択されたログイン時刻もしくはそのログイン時刻に対応する利用期間についてのデータを取得してもよい（受け付けてもよい）。また、受付部２１０は、投稿者２によって複数の選択肢（時刻）の中から選択されたアイデア提供時刻もしくはそのアイデア提供時刻に対応する利用期間についてのデータを取得してもよい（受け付けてもよい）。
【０１０３】  出力部２２０は、受付部２１０で受け付けたアイデア３を、受付部２１０で受け付けた、ログイン時刻もしくはそのログイン時刻に対応する利用期間についてのデータと関連付けて出力してもよい。この場合、処理部３２０は、端末装置２００から入力されたログイン時刻もしくはそのログイン時刻に対応する利用期間についてのデータを、ランキング可能な何らかの指標（金額など）に変換する。処理部３２０は、受付部３１０で受け付けたアイデア３を、変換により得られた指標（金額など）と関連付けて記憶部３３０に格納する。
【０１０４】  出力部２２０は、受付部２１０で受け付けたアイデア３を、受付部２１０で受け付けた、アイデア提供時刻もしくはそのアイデア提供時刻に対応する利用期間についてのデータと関連付けて出力してもよい。この場合、処理部３２０は、端末装置２００から入力されたアイデア提供時刻もしくはそのアイデア提供時刻に対応する利用期間についてのデータを、ランキング可能な何らかの指標（金額など）に変換する。処理部３２０は、受付部３１０で受け付けたアイデア３を、変換により得られた指標（金額など）と関連付けて記憶部３３０に格納する。
【０１０５】  このようにした場合であっても、上記各実施の形態およびそれらの変形例と同様に、有望なアイデアを容易に集めたり、集めた多数のアイデアの中から有望なアイデアを容易に見つけ出したりすることができる。
【０１０６】  なお、投稿者２が情報処理システム１，６の利用期間を選択し、選択した利用期間に、アイデア３の、情報処理システム１，６への提供（入力）を行った場合には、  受付部２１０は、ログイン時刻もしくはそのログイン時刻に対応する利用期間についてのデータ、  または、アイデア提供時刻もしくはそのアイデア提供時刻に対応する利用期間についてのデータを取得しなくてもよい（受け付けなくてもよい）。ただし、この場合には、処理部３２０は、端末装置２００からアイデア３が入力された時刻（アイデア入力時刻）もしくはそのアイデア入力時刻に対応する利用期間についてのデータを、ランキング可能な何らかの指標（金額など）に変換する。処理部３２０は、受付部３１０で受け付けたアイデア３を、変換により得られた指標（金額など）と関連付けて記憶部３３０に格納する。このようにした場合であっても、上記各実施の形態およびそれらの変形例と同様に、有望なアイデアを容易に集めたり、集めた多数のアイデアの中から有望なアイデアを容易に見つけ出したりすることができる。
【符号の説明】
【０１０７】  １…情報処理システム、２…投稿者、３…アイデア、３Ａ…概要文字データ、３Ｂ…詳細文字データ、４…投稿料、５…投稿者情報、５Ａ…投稿者ＩＤ、５Ｂ…投稿者ＰＷ、６…情報処理システム、１００…ネットワーク、２００…端末装置、２０１…入力装置、２０２…プロセッサ、２０３…ネットワークインターフェース、２０４…メモリ、２０４Ａ…ウェブブラウザプログラム、２１０…受付部、２２０…出力部、３００…サーバ装置、３０１…ネットワークインターフェース、３０２…プロセッサ、３０３…メモリ、３０３Ａ…ウェブサーバプログラム、３０３Ｂ…ウェブアプリケーションプログラム、３１０…受付部、３２０…処理部、３３０…記憶部、３３０Ａ…データベース、３３０Ｂ…データベース、３３０Ｃ…データベース、４００…端末装置、４０１…入力装置、４０２…プロセッサ、４０３…ネットワークインターフェース、４０４…メモリ、４０４Ａ…ウェブブラウザプログラム、４１０…読出部、４２０…処理部、４３０…表示部、４４０…受付部、４４１…入力インターフェース、４４１Ａ…概要選択窓、４４１Ｂ…選択ボタン、４４２…入力インターフェース、４４２Ａ…概要表示窓、４４２Ｂ…詳細表示窓、４４２Ｃ，４４２Ｄ…選択ボタン、４４３…入力インターフェース、４４３Ａ…契約文表示窓、４３３Ｂ…非同意ボタン、４３３Ｃ…同意ボタン、５００…端末装置。
【図１】
2018026163.tif 000003
【図２】
2018026163.tif 000004
【図３】
2018026163.tif 000005
【図４】
2018026163.tif 000006
【図５】
2018026163.tif 000007
【図６】
2018026163.tif 000008
【図７】
2018026163.tif 000009
【図８】
2018026163.tif 000010
【図９】
2018026163.tif 000011
【図１０】
2018026163.tif 000012
【図１１】
2018026163.tif 000013
【図１２】
2018026163.tif 000014
【図１３】
2018026163.tif 000015
【図１４】
2018026163.tif 000016
【図１５】
2018026163.tif 000017
【図１６】
2018026163.tif 000018
【図１７】
2018026163.tif 000019